(57)【要約】【課題】効率の低下を抑えつつ、輻射ノイズの低下をすることができるＤＣ−ＤＣコンバータ及びシステム電源を提供すること。【解決手段】第１ＤＣ−ＤＣコンバータ２０ａは、ワンセグ受信機、無線通信機に第４、第５電源電圧を供給する第４、第５ＤＣ−ＤＣコンバータが動作する場合、第１ＤＣ−ＤＣコンバータ２０ａは、スイッチング回路３８を駆動するドライバ部３７の駆動能力を小さくている。また、第１ＤＣ−ＤＣコンバータ２０ａは、この駆動能力を３段階で大きくしている。これにより、第１ＤＣ−ＤＣコンバータ２０ａのスイッチングの立ち上げ時間及び立ち下げ時間を長くする。【選択図】図２
2010088177.tif 000002
【特許請求の範囲】
【請求項１】
第１トランジスタと第２トランジスタを備えたスイッチング回路と、前記第１トランジスタと前記第２トランジスタを駆動するドライバ部とを有し、
前記ドライバ部にて前記第１トランジスタと前記第２トランジスタを相補的にオンオフして、入力電圧を電圧変換した出力電圧を負荷回路に供給するＤＣ−ＤＣコンバータであって、
前記ドライバ部は、前記第１トランジスタと前記第２トランジスタを駆動する駆動能力を、前記負荷回路の動作状態に基づいて異なる複数の駆動能力から選択することを特徴とするＤＣ−ＤＣコンバータ。
【請求項２】
請求項１に記載のＤＣ−ＤＣコンバータにおいて、
前記ドライバ部は、
前記異なる複数の駆動能力を段階的に大きくして前記第１トランジスタと第２トランジスタをそれぞれ駆動することを特徴とするＤＣ−ＤＣコンバータ。
【請求項３】
請求項１又は２のいずれか一項に記載のＤＣ−ＤＣコンバータにおいて、
前記入力電圧を予め設定された電圧と比較し、該比較結果を出力する入力電圧検出回路を備え、
前記ドライバ部は、前記入力電圧検出回路の比較結果に応じて前記第１トランジスタと前記第２トランジスタを駆動する駆動能力を切替えることを特徴とするＤＣ−ＤＣコンバータ。
【請求項４】
請求項１又は２のいずれか一項に記載のＤＣ−ＤＣコンバータにおいて、
前記負荷回路の負荷状態を予め設定された負荷状態と比較し、該比較結果を出力する出力電流判定回路を備え、
前記ドライバ部は、前記出力電流判定回路の比較結果に基づいて前記第１トランジスタと前記第２トランジスタを駆動する駆動能力をスイッチングの立ち上げ時間と立ち下げ時間で切替えることを特徴とするＤＣ−ＤＣコンバータ。
【請求項５】
請求項１乃至４のいずれか一項に記載のＤＣ−ＤＣコンバータにおいて、
前記負荷回路は、ノイズの影響を受け易い装置であることを特徴とするＤＣ−ＤＣコンバータ。
【請求項６】
第１トランジスタと第２トランジスタを備えたスイッチング回路と、前記第１トランジスタと前記第２トランジスタを駆動するドライバ部とを有し、
前記ドライバ部にて前記第１トランジスタと前記第２トランジスタを相補的にオンオフして、入力電圧を電圧変換した出力電圧を負荷回路に供給するＤＣ−ＤＣコンバータを備える電源供給システムであって、
前記ドライバ部は、前記第１トランジスタと前記第２トランジスタを駆動する駆動能力を、前記負荷回路の動作状態に基づいて異なる複数の駆動能力から選択することを特徴とする電源供給システム。
【発明の詳細な説明】
【技術分野】
【０００１】
ＤＣ−ＤＣコンバータ及び電源供給システムに関するものである。
【背景技術】
【０００２】
従来、電子機器は、それぞれ特定の処理機能を有する複数の回路及び半導体デバイスから構成されている。電子機器中の各回路及び各半導体デバイスは、それぞれ電源電圧が異なる場合がある。
【０００３】
このため、この種の電子機器には、各回路及び半導体デバイス（以下、負荷という）に対してそれぞれ異なる電源電圧を供給する電源供給システムが備えられている。電源供給システムは、複数のＤＣ−ＤＣコンバータから構成される。各ＤＣ−ＤＣコンバータは、対応する負荷に供給するそれぞれ異なる電源電圧を生成し、この電源電圧が一定となるように制御している。
【０００４】
近年、電子機器は、ワンセグ受信機や無線通信機を搭載する場合がある。この場合、ワンセグ受信機や無線通信機は、電子機器に搭載されているＤＣ−ＤＣコンバータが発生するスイッチングノイズなどの輻射ノイズにより悪影響を及ぼされ、精度良く受信することができないという問題があった。
【０００５】
輻射ノイズは、一般に、ＤＣ−ＤＣコンバータのスイッチングの立ち上げ時間及び立ち下げ時間が短いほど、周波数帯域においてノイズレベルが高いことを知られている。また、ＤＣ−ＤＣコンバータの変換効率は、ＤＣ−ＤＣコンバータのスイッチングの立ち上げ時間及び立ち下げ時間が短いほど効率が良くなる。
【０００６】
従って、ＤＣ−ＤＣコンバータの変換効率を良くしようとすると、ワンセグ受信機や無線通信機が受信する高周波数の周波数帯域にてノイズレベルが高くなり、ワンセグ受信機や無線通信機は精度良く受信できなくなる。
【０００７】
従来、輻射ノイズ対策として、ＤＣ−ＤＣコンバータのスイッチングの立ち上げ時間及び立ち下げ時間を長くし、ワンセグ受信機や無線通信機が受信する信号の周波数帯域のノイズレベルを低下させていた（例えば、特許文献１参照）。これにより、ワンセグ受信機や無線通信機の受信を精度良く行っていた。
【特許文献１】特開２００６−１２９５９３号公報
【発明の開示】
【発明が解決しようとする課題】
【０００８】
ところで、近年、電子機器では、環境問題の点から無駄な電力を使用しないため、また、携帯機器の場合、１回の充電で長時間使用できるようにするために、低消費電力化を要求されている。
【０００９】
しかしながら、従来の輻射ノイズ対策の場合、ＤＣ−ＤＣコンバータのスイッチングの立ち上げ時間及び立ち下げ時間を遅くするため、変換効率を悪くしていた。
このＤＣ−ＤＣコンバータ及び電源供給システムは、変換効率の低下を抑えつつ、輻射ノイズの低下を図ることを目的とする。
【課題を解決するための手段】
【００１０】
このＤＣ−ＤＣコンバータは、第１トランジスタと第２トランジスタを備えたスイッチング回路と、前記第１トランジスタと前記第２トランジスタを駆動するドライバ部とを有し、前記ドライバ部にて前記第１トランジスタと前記第２トランジスタを相補的にオンオフして、入力電圧を電圧変換した出力電圧を負荷回路に供給するＤＣ−ＤＣコンバータであって、前記ドライバ部は、前記第１トランジスタと前記第２トランジスタを駆動する駆動能力を、前記負荷回路の動作状態に基づいて異なる複数の駆動能力から選択するようにした。
【００１１】
このＤＣ−ＤＣコンバータによれば、ノイズの影響を受け易い装置に電源電圧を供給するＤＣ−ＤＣコンバータが動作する場合、ＤＣ−ＤＣコンバータのスイッチングの立ち上げ時間及び立ち下げ時間を長くしている。また、ＤＣ−ＤＣコンバータは、スイッチング回路を駆動する駆動能力を３段階で大きくしている。
【００１２】
このため、ノイズの影響を受け易い装置へのＤＣ−ＤＣコンバータからの輻射ノイズレベルが低下し、ノイズの影響を受け易い装置は、正常に動作することができる。さらに、ＤＣ−ＤＣコンバータのスイッチングの立ち上がり及び立ち下がりが直線的になり、ＤＣ−ＤＣコンバータは、立ち上がり及び立ち下がりの後半部分での変換効率の低下を防ぐことができる。
【発明の効果】
【００１３】
開示されたＤＣ−ＤＣコンバータ及び電源供給システムによれば、効率の低下を抑えつつ、輻射ノイズの低下をすることができる。
【発明を実施するための最良の形態】
【００１４】
（第１実施形態）
以下、一実施形態を図１〜４に従って説明する。
図１に示すように、電源供給システム１０は、システム電源１１、システムコントローラ１２、負荷として、内部回路１３、メモリ１４、Ｉ／Ｏ部１５、ワンセグ受信機１６、無線通信機１７を備えている。
【００１５】
電源供給システム１０は、システムコントローラ１２の制御に基づいてシステム電源１１から第１〜第５電源電圧ＶｏＡ〜ＶｏＥを生成し、これら生成した第１〜第５電源電圧ＶｏＡ〜ＶｏＥをそれぞれ対応する内部回路１３、メモリ１４、Ｉ／Ｏ部１５、ワンセグ受信機１６、無線通信機１７に供給している。
【００１６】
システム電源１１は、第１〜第５ＤＣ−ＤＣコンバータ２０ａ〜２０ｅ、コントロール部２１、状態判定回路２２を備えている。
コントロール部２１は、システムコントローラ１２からの外部信号Ｓ１に基づいて、第１〜第５ＤＣ−ＤＣコンバータ２０ａ〜２０ｅを制御するための第１〜第５制御信号ＳＳ１〜ＳＳ５を生成する。生成した第１〜第５制御信号ＳＳ１〜ＳＳ５は、それぞれ対応する第１〜第５ＤＣ−ＤＣコンバータ２０ａ〜２０ｅに出力される。
【００１７】
詳述すると、第１制御信号ＳＳ１は、第１ＤＣ−ＤＣコンバータ２０ａに出力され、第１ＤＣ−ＤＣコンバータ２０ａの動作・停止や出力電圧などをそれぞれ制御する信号である。第１ＤＣ−ＤＣコンバータ２０ａは、第１制御信号ＳＳ１に対応して、第１電源電圧ＶｏＡを生成し、内部回路１３に出力する。
【００１８】
第２制御信号ＳＳ２は、第２ＤＣ−ＤＣコンバータ２０ｂに出力され第２ＤＣ−ＤＣコンバータ２０ｂの動作・停止や出力電圧などを制御する信号である。第２ＤＣ−ＤＣコンバータ２０ｂは、第２制御信号ＳＳ２に応答して、第２電源電圧ＶｏＢを生成し、メモリ１４に出力する。
【００１９】
第３制御信号ＳＳ３は、第３ＤＣ−ＤＣコンバータ２０ｃに出力され第３ＤＣ−ＤＣコンバータ２０ｃの動作・停止や出力電圧などを制御する信号である。第３ＤＣ−ＤＣコンバータ２０ｃは、第３制御信号ＳＳ３に応答して、第３電源電圧ＶｏＣを生成し、Ｉ／Ｏ部１５に出力する。
【００２０】
第４制御信号ＳＳ４は、第４ＤＣ−ＤＣコンバータ２０ｄに出力され第４ＤＣ−ＤＣコンバータ２０ｄの動作・停止や出力電圧などを制御する信号である。第４ＤＣ−ＤＣコンバータ２０ｄは、第４制御信号ＳＳ４に応答して、第４電源電圧ＶｏＤを生成し、ワンセグ受信機１６に出力する。
【００２１】
第５制御信号ＳＳ５は、第５ＤＣ−ＤＣコンバータ２０ｅに出力され第５ＤＣ−ＤＣコンバータ２０ｅの動作・停止や出力電圧などを制御する信号である。第５ＤＣ−ＤＣコンバータ２０ｅは、第５制御信号ＳＳ５に応答して、第５電源電圧ＶｏＥを生成し、無線通信機１７に出力する。
【００２２】
また、コントロール部２１が生成した第１〜第５制御信号ＳＳ１〜ＳＳ５は、状態判定回路２２に出力される。
状態判定回路２２は、コントロール部２１から第４ＤＣ−ＤＣコンバータ２０ｄのための第４制御信号ＳＳ４又は第５ＤＣ−ＤＣコンバータ２０ｅのための第５制御信号ＳＳ５に基づいて、状態判定信号Ａ１を出力する。
【００２３】
詳述すると、状態判定回路２２は、第４制御信号ＳＳ４及び第５制御信号ＳＳ５の少なくともいずれか一方が対応する第４及び第５ＤＣ−ＤＣコンバータ２０ｄ，２０ｅを動作させるための内容の信号であるとき、第１〜第５ＤＣ−ＤＣコンバータ２０ａ〜２０ｅに対してＨレベルの状態判定信号Ａ１を出力する。つまり、ワンセグ受信機１６及び無線通信機１７の少なくともいずれか一方が動作する場合、状態判定回路２２は、第１〜第５ＤＣ−ＤＣコンバータ２０ａ〜２０ｅに対してＨレベルの状態判定信号Ａ１を出力する。
【００２４】
反対に、状態判定回路２２は、第４制御信号ＳＳ４及び第５制御信号ＳＳ５が共に、対応する第４及び第５ＤＣ−ＤＣコンバータ２０ｄ，２０ｅを動作させない内容の信号であるとき、第１〜第５ＤＣ−ＤＣコンバータ２０ａ〜２０ｅに対してＬレベルの状態判定信号Ａ１を出力する。つまり、ワンセグ受信機１６及び無線通信機１７が共に停止している場合、状態判定回路２２は、第１〜第５ＤＣ−ＤＣコンバータ２０ａ〜２０ｅに対してＬレベルの状態判定信号Ａ１を出力する。
【００２５】
なお、以下、説明の便宜上、このＨレベルの状態判定信号Ａ１を、アクティブモード信号Ａ１ａ、Ｌレベルの状態判定信号Ａ１をエコモード信号Ａ１ｂという。
そして、第１〜第５ＤＣ−ＤＣコンバータ２０ａ〜２０ｅは、状態判定回路２２からアクティブモード信号Ａ１ａを入力すると、変換効率優先モードとなり、反対に、エコモード信号Ａ１ｂを入力すると、ノイズ低減モードとなる。
【００２６】
次に、第１〜第５ＤＣ−ＤＣコンバータ２０ａ〜２０ｅについて説明する。
なお、第１〜第５ＤＣ−ＤＣコンバータ２０ａ〜２０ｅは、それぞれ電圧値が異なる第１〜第５電源電圧ＶｏＡ〜ＶｏＥを出力する点が相違するだけで基本的に構成は同じである。そこで、本実施形態では、説明の便宜上、第１ＤＣ−ＤＣコンバータ２０ａの構成について説明し、他の第２〜第５ＤＣ−ＤＣコンバータ２０ｂ〜２０ｅは説明の便宜上省略する。
【００２７】
図２は、第１ＤＣ−ＤＣコンバータ２０ａの電気ブロック回路を示す。
第１ＤＣ−ＤＣコンバータ２０ａは、入力電圧ＰＶＣＣを降圧変換し、第１電源電圧ＶｏＡを生成して内部回路１３に出力する。第１ＤＣ−ＤＣコンバータ２０ａは電流制御型ＤＣ−ＤＣコンバータであって、電流制御動作により、第１電源電圧ＶｏＡを安定化させて内部回路１３に出力する。第１ＤＣ−ＤＣコンバータ２０ａは、制御回路３０と平滑回路３１を備えている。
【００２８】
制御回路３０は、内部回路１３の負荷状態に応じてデューティー制御して電源電圧（第１電源電圧ＶｏＡ）を生成する。そして、デューティー制御にて出力された電源電圧を、チョークコイルＬ１と平滑用コンデンサＣ１からなる平滑回路３１にて平滑にし、その平滑された電源電圧を第１電源電圧ＶｏＡとして内部回路１３に出力する。
【００２９】
制御回路３０は、電流検出部３２、分圧回路３３、誤差増幅器３４、電流比較器３５、ＰＷＭパルス生成部３６、ドライバ部３７、スイッチング回路３８を備えている。
電流検出部３２は、平滑回路３１のチョークコイルＬ１に流れる電流（出力電流ＩｏＡ）を検出し、その出力電流ＩｏＡに相対した負荷検出電圧Ｖｒ２を出力する。電流検出部３２は、検出した負荷検出電圧Ｖｒ２を電流比較器３５に出力する。
【００３０】
分圧回路３３は、抵抗Ｒ１，Ｒ２の直列回路よりなり、その直列回路に内部回路１３に供給する第１電源電圧ＶｏＡが帰還信号として印加される。そして、分圧回路３３は、抵抗Ｒ１，Ｒ２の接続点の電圧を第１分圧電圧Ｖｅ１として誤差増幅回路としての誤差増幅器３４の反転入力端子に出力する。
【００３１】
誤差増幅器３４は、反転入力端子に第１分圧電圧Ｖｅ１が入力されるとともに、非反転入力端子には予め設定された基準電圧Ｖｒ１が入力される。誤差増幅器３４は、第１分圧電圧Ｖｅ１、即ち、そのときの第１電源電圧ＶｏＡに比例した電圧と基準電圧Ｖｒ１との差電圧を増幅した誤差信号ＳＧを、電流比較器３５に出力する。
【００３２】
電流比較器３５は、非反転入力端子に誤差増幅器３４からの誤差信号ＳＧが入力されるともに、反転入力端子に電流検出部３２からの負荷検出電圧Ｖｒ２が入力される。そして、電流比較器３５は、負荷検出電圧Ｖｒ２が誤差信号ＳＧ以上になったとき、Ｈレベルの第１判定信号Ｊ１を、反対に、負荷検出電圧Ｖｒ２が誤差信号ＳＧより小さくなったとき、Ｌレベルの第１判定信号Ｊ１をＰＷＭパルス生成部３６に出力する。
【００３３】
ＰＷＭパルス生成部３６は、電流比較器３５から第１判定信号Ｊ１が入力される。また、ＰＷＭパルス生成部３６は、発振器を備えている。発振器は、所定周波数であり、かつ所定期間Ｈレベルとなるクロック信号を生成する。ＰＷＭパルス生成部３６は、入力されるＨレベルの第１判定信号Ｊ１に応答してＨレベルの第２判定信号Ｊ２を出力し、発振器のＨレベルのクロック信号に応答して第２判定信号Ｊ２をリセット、つまりＬレベルの第２判定信号Ｊ２を出力する。
【００３４】
即ち、ＰＷＭパルス生成部３６は、クロック信号の１周期中において第１判定信号Ｊ１のＬレベルとＨレベルの切替えを検出し、第１判定信号Ｊ１に相対したデューティー比の第２判定信号Ｊ２を出力する。
【００３５】
ドライバ部３７は、ＰＷＭパルス生成部３６から第２判定信号Ｊ２と状態判定回路２２から状態判定信号Ａ１（Ａ１ａ又はＡ１ｂ）を入力する。ドライバ部３７は、入力した第２判定信号Ｊ２と状態判定信号Ａ１に基づいて、スイッチング回路３８を構成するメインスイッチングトランジスタとしての第１トランジスタＴ１と同期用トランジスタとしての第２トランジスタＴ２のゲートにそれぞれ第１及び第２駆動信号ＤＨ，ＤＬを出力する。
【００３６】
ドライバ部３７は、ＰＷＭパルス生成部３６からＬレベルの第２判定信号Ｊ２を入力したとき、第１及び第２トランジスタＴ１，Ｔ２のゲートに、Ｌレベルの第１及び第２駆動信号ＤＨ，ＤＬを出力する。反対に、ドライバ部３７は、ＰＷＭパルス生成部３６からＨレベルの第２判定信号Ｊ２を入力したとき、第１及び第２トランジスタＴ１，Ｔ２のゲートに、Ｈレベルの第１及び第２駆動信号ＤＨ，ＤＬを出力する。
【００３７】
図３は、ドライバ部３７の電気ブロック回路図を示す。ドライバ部３７は、オア回路４０、アンド回路４１、第１及び第２貫通防止回路４２ａ，４２ｂ、立ち上がり制御部４３、立ち下がり制御部４４を備えている。
【００３８】
オア回路４０は、ＰＷＭパルス生成部３６から第２判定信号Ｊ２と立ち下がり制御部４４から第２駆動信号ＤＬを入力する。オア回路４０は、入力した第２判定信号Ｊ２及び第２駆動信号ＤＬが共にＬレベルのとき、第１トランジスタＴ１をオンさせるためのＬレベルの第１論理信号ＳＲ１を第１貫通防止回路４２ａに出力する。
【００３９】
第１貫通防止回路４２ａは遅延回路であって、第１トランジスタＴ１をオンさせるための第１論理信号ＳＲ１を遅延させて立ち上がり制御部４３に出力する。第１貫通防止回路４２ａは、スイッチング回路３８が貫通しないタイミングにて第１トランジスタＴ１をオンさせるためにＬレベルの第１論理信号ＳＲ１を遅延させて立ち上がり制御部４３に出力する。
【００４０】
即ち、ドライバ部３７は、スイッチング回路３８に貫通電流を流さないため、第１及び第２駆動信号ＤＨ，ＤＬのＨレベルとＬレベルの切替わり期間において、第１及び第２トランジスタＴ１，Ｔ２が共にオフするように制御している。詳しくは、ドライバ部３７は、第１及び第２駆動信号ＤＨ，ＤＬのＨレベルとＬレベルの切替わりをずらすことで、一方のオンしていた第１または第２トランジスタＴ１，Ｔ２が完全にオフしてから他方の第１または第２トランジスタＴ１，Ｔ２をオンさせている。
【００４１】
立ち上がり制御部４３は、第１及び第２遅延回路４５ａ，４５ｂ、第１及び第２遅延設定回路４６ａ，４６ｂ、第１〜第３バッファ回路５１〜５３、第１及び第２スイッチ５７ａ，５７ｂを備えている。本実施形態では、第１〜第３バッファ回路５１〜５３の第１トランジスタＴ１を駆動する駆動能力は同じである。
【００４２】
第１バッファ回路５１は、第１貫通防止回路４２ａから第１論理信号ＳＲ１を入力する。第１バッファ回路５１は、入力した第１論理信号ＳＲ１を同相で駆動能力を上げて第１駆動信号ＤＨとして第１トランジスタＴ１のゲートに出力して第１トランジスタＴ１を駆動する。即ち、第１バッファ回路５１は、第４及び第５ＤＣ−ＤＣコンバータ２０ｄ，２０ｅの動作・停止に関係なく、第１論理信号ＳＲ１を入力すると、直ちに第１トランジスタＴ１を駆動する。
【００４３】
第１遅延設定回路４６ａは、状態判定回路２２から状態判定信号Ａ１（Ａ１ａ又はＡ１ｂ）を入力する。第１遅延設定回路４６ａは、入力した状態判定信号Ａ１（Ａ１ａ又はＡ１ｂ）に応じて、第１設定信号ＳＴ１を第１遅延回路４５ａと第１スイッチ５７ａに出力する。
【００４４】
第１遅延設定回路４６ａは、状態判定回路２２からＨレベルの状態判定信号Ａ１（アクティブモード信号Ａ１ａ）を入力するとき、Ｈレベルの第１設定信号ＳＴ１を出力する。反対に、第１遅延設定回路４６ａは、状態判定回路２２からＬレベルの状態判定信号Ａ１（エコモード信号Ａ１ｂ）を入力するとき、Ｌレベルの第１設定信号ＳＴ１を出力する。
【００４５】
第１遅延回路４５ａは、第１貫通防止回路４２ａから第１論理信号ＳＲ１と第１遅延設定回路４６ａから第１設定信号ＳＴ１を入力する。第１遅延回路４５ａは、Ｈレベルの第１設定信号ＳＴ１を入力するとき、入力した第１論理信号ＳＲ１を予め設定された時間ｔｋ１遅延させて第２バッファ回路５２に出力する。反対に、第１遅延回路４５ａは、Ｌレベルの第１設定信号ＳＴ１を入力するとき、入力した第１論理信号ＳＲ１を直ちに第２バッファ回路５２に出力する。
【００４６】
第２バッファ回路５２は、第１遅延回路４５ａから第１論理信号ＳＲ１を入力する。第２バッファ回路５２は、入力した第１論理信号ＳＲ１を同相で駆動能力を上げて第１駆動信号ＤＨとして第１スイッチ５７ａを介して第１トランジスタＴ１のゲートに出力する。
【００４７】
このとき、第１スイッチ５７ａは、入力した第１設定信号ＳＴ１に応じて開放・短絡する。第１スイッチ５７ａは、Ｈレベルの第１設定信号ＳＴ１を入力すると、予め設定された時間ｔｋ１経過後に短絡する。また、第１スイッチ５７ａは、Ｌレベルの第１設定信号ＳＴ１を入力すると、直ちに短絡する。つまり、第２バッファ回路５２は、第４及び第５ＤＣ−ＤＣコンバータ２０ｄ，２０ｅが動作する場合、第１バッファ回路５１が第１トランジスタＴ１を駆動開始してから予め設定された時間ｔｋ１経過後に第１トランジスタＴ１を駆動開始する。反対に、第２バッファ回路５２は、第４及び第５ＤＣ−ＤＣコンバータ２０ｄ，２０ｅが停止する場合、第１バッファ回路５１が第１トランジスタＴ１を駆動開始すると、略同時に第１トランジスタＴ１を駆動する。
【００４８】
第２遅延設定回路４６ｂは、状態判定回路２２から状態判定信号Ａ１（Ａ１ａ又はＡ１ｂ）を入力する。第２遅延設定回路４６ｂは、入力した状態判定信号Ａ１（Ａ１ａ又はＡ１ｂ）に応じて、第２設定信号ＳＴ２を第２遅延回路４５ｂと第２スイッチ５７ｂに出力する。第２遅延設定回路４６ｂは、状態判定回路２２からＨレベルの状態判定信号Ａ１（Ａ１ａ又はＡ１ｂ）を入力するとき、Ｈレベルの第２設定信号ＳＴ２を出力する。反対に、第２遅延設定回路４６ｂは、状態判定回路２２からＬレベルの状態判定信号Ａ１（Ａ１ａ又はＡ１ｂ）を入力するとき、Ｌレベルの第２設定信号ＳＴ２を出力する。
【００４９】
第２遅延回路４５ｂは、第１貫通防止回路４２ａから第１論理信号ＳＲ１と第２遅延設定回路４６ｂから第２設定信号ＳＴ２を入力する。第２遅延回路４５ｂは、Ｈレベルの第２設定信号ＳＴ２を入力するとき、入力した第１論理信号ＳＲ１を予め設定された時間ｔｋ２（＞ｔｋ１）遅延させて第３バッファ回路５３に出力する。反対に、第２遅延回路４５ｂは、Ｌレベルの第２設定信号ＳＴ２を入力するとき、入力した第１論理信号ＳＲ１を直ちに第３バッファ回路５３に出力する。
【００５０】
第３バッファ回路５３は、第２遅延回路４５ｂから第１論理信号ＳＲ１を入力する。第３バッファ回路５３は、入力した第１論理信号ＳＲ１を同相で駆動能力を上げて第１駆動信号ＤＨとして第２スイッチ５７ｂを介して第１トランジスタＴ１のゲートに出力する。
【００５１】
このとき、第２スイッチ５７ｂは、入力した第２設定信号ＳＴ２に応じて開放・短絡する。第２スイッチ５７ｂは、Ｈレベルの第２設定信号ＳＴ２を入力すると、予め設定された時間ｔｋ２（＞ｔｋ１）経過後に短絡する。また、第２スイッチ５７ｂは、Ｌレベルの第２設定信号ＳＴ２を入力すると、直ちに短絡する。つまり、第３バッファ回路５３は、第４，第５ＤＣ−ＤＣコンバータ２０ｄ，２０ｅが動作する場合、第１バッファ回路５１が第１トランジスタＴ１を駆動開始してから予め設定された時間ｔｋ２（＞ｔｋ１）経過後に第１トランジスタＴ１を駆動開始する。反対に、第３バッファ回路５３は、第４，第５ＤＣ−ＤＣコンバータ２０ｄ，２０ｅが停止する場合、第１バッファ回路５１が第１トランジスタＴ１を駆動開始すると、略同時に第１トランジスタＴ１を駆動する。
【００５２】
従って、立ち上がり制御部４３は、第４，第５ＤＣ−ＤＣコンバータ２０ｄ，２０ｅが動作する場合、スイッチング回路３８を駆動する駆動能力を、始めに第１〜第３バッファ回路５１〜５３が１つ分の駆動能力にする。そして、予め設定された時間ｔｋ１経過後に第１〜第３バッファ回路５１〜５３が２つ分の駆動能力にし、予め設定された時間ｔｋ２（＞ｔｋ１）経過後に、第１〜第３バッファ回路５１〜５３が３つ分の駆動能力にする。つまり、立ち上がり制御部４３は、小さい駆動能力から大きい駆動能力に３段階で切替えて第１トランジスタＴ１を駆動している。
【００５３】
アンド回路４１は、ＰＷＭパルス生成部３６から第２判定信号Ｊ２と立ち上がり制御部４３から第１駆動信号ＤＨを入力する。アンド回路４１は、入力した第２判定信号Ｊ２及び第１駆動信号ＤＨが共にＨレベルのとき、Ｈレベルの第２論理信号ＳＲ２を第２貫通防止回路４２ｂに出力する。
【００５４】
第２貫通防止回路４２ｂは、遅延回路であって、第２トランジスタＴ２をオンさせるためのＨレベルの第２論理信号ＳＲ２を遅延させて立ち上がり制御部４３に出力する。第２貫通防止回路４２ｂは、スイッチング回路３８が貫通しないタイミングで第２トランジスタＴ２をオンさせるためにＨレベルの第２論理信号ＳＲ２を遅延させて立ち下がり制御部４４に出力する。
【００５５】
立ち下がり制御部４４は、第３及び第４遅延回路４５ｃ，４５ｄ、第３及び第４遅延設定回路４６ｃ，４６ｄ、第４〜第６バッファ回路５４〜５６、第３及び第４スイッチ５７ｃ，５７ｄを備えている。本実施形態では、第４〜第６バッファ回路５４〜５６の第２トランジスタＴ２を駆動する駆動能力は同じである。
【００５６】
第４バッファ回路５４は、第２貫通防止回路４２ｂから第２論理信号ＳＲ２を入力する。第４バッファ回路５４は、入力した第２論理信号ＳＲ２を同相で駆動能力を上げて第２駆動信号ＤＬとして第２トランジスタＴ２のゲートに出力して第２トランジスタＴ２を駆動する。
【００５７】
即ち、第４バッファ回路５４は、第４，第５ＤＣ−ＤＣコンバータ２０ｄ，２０ｅの動作・停止に関係なく、第２論理信号ＳＲ２を入力すると、直ちに第２トランジスタＴ２を駆動する。
【００５８】
第３遅延設定回路４６ｃは、状態判定回路２２から状態判定信号Ａ１（Ａ１ａ又はＡ１ｂ）を入力する。第３遅延設定回路４６ｃは、入力した状態判定信号Ａ１（Ａ１ａ又はＡ１ｂ）に応じて、第３設定信号ＳＴ３を第３遅延回路４５ｃと第３スイッチ５７ｃに出力する。
【００５９】
第３遅延設定回路４６ｃは、状態判定回路２２からＨレベルの状態判定信号Ａ１（Ａ１ａ又はＡ１ｂ）を入力するとき、Ｈレベルの第３設定信号ＳＴ３を出力する。反対に、第３遅延設定回路４６ｃは、状態判定回路２２からＬレベルの状態判定信号Ａ１（エコモード信号Ａ１ｂ）を入力するとき、Ｌレベルの第３設定信号ＳＴ３を出力する。
【００６０】
第３遅延回路４５ｃは、第２貫通防止回路４２ｂから第２論理信号ＳＲ２と第３遅延設定回路４６ｃから第３設定信号ＳＴ３を入力する。第３遅延回路４５ｃは、Ｈレベルの第３設定信号ＳＴ３を入力するとき、入力した第２論理信号ＳＲ２を予め設定された時間ｔｋ３遅延させて第５バッファ回路５５に出力する。反対に、第３遅延回路４５ｃは、Ｌレベルの第３設定信号ＳＴ３を入力するとき、入力した第２論理信号ＳＲ２を直ちに第５バッファ回路５５に出力する。
【００６１】
第５バッファ回路５５は、第３遅延回路４５ｃから第２論理信号ＳＲ２を入力する。第５バッファ回路５５は、入力した第２論理信号ＳＲ２を同相で駆動能力を上げて第２駆動信号ＤＬとして第３スイッチ５７ｃを介して第２トランジスタＴ２のゲートに出力する。
【００６２】
このとき、第３スイッチ５７ｃは、入力した第３設定信号ＳＴ３に応じて開放・短絡する。第３スイッチ５７ｃは、Ｈレベルの第３設定信号ＳＴ３を入力すると、予め設定された時間ｔｋ３経過後に短絡する。また、第３スイッチ５７ｃは、Ｌレベルの第３設定信号ＳＴ３を入力すると、直ちに短絡する。つまり、第５バッファ回路５５は、第４及び第５ＤＣ−ＤＣコンバータ２０ｄ，２０ｅが動作する場合、第５バッファ回路５５が第２トランジスタＴ２を駆動開始してから予め設定された時間ｔｋ３経過後に、第２トランジスタＴ２を駆動開始する。反対に、第５バッファ回路５５は、第４及び第５ＤＣ−ＤＣコンバータ２０ｄ，２０ｅが停止する場合、第５バッファ回路５５が第２トランジスタＴ２を駆動開始すると、略同時に第２トランジスタＴ２を駆動する。
【００６３】
第４遅延設定回路４６ｄは、状態判定回路２２から状態判定信号Ａ１（Ａ１ａ又はＡ１ｂ）を入力する。第４遅延設定回路４６ｄは、入力した状態判定信号Ａ１（Ａ１ａ又はＡ１ｂ）に応じて、第４設定信号ＳＴ４を第４遅延回路４５ｄと第４スイッチ５７ｄに出力する。
【００６４】
第４遅延設定回路４６ｄは、状態判定回路２２からＨレベルの状態判定信号Ａ１（アクティブモード信号Ａ１ａ）を入力するとき、Ｈレベルの第４設定信号ＳＴ４を出力する。反対に、第４遅延設定回路４６ｄは、状態判定回路２２からＬレベルの状態判定信号Ａ１（エコモード信号Ａ１ｂ）を入力するとき、Ｌレベルの第４設定信号ＳＴ４を出力する。
【００６５】
第４遅延回路４５ｄは、第２貫通防止回路４２ｂから第２論理信号ＳＲ２と第４遅延設定回路４６ｄから第４設定信号ＳＴ４を入力する。第４遅延回路４５ｄは、Ｈレベルの第４設定信号ＳＴ４を入力するとき、入力した第２論理信号ＳＲ２を予め設定された時間ｔｋ４（＞ｔｋ３）遅延させて第６バッファ回路５６に出力する。反対に、第４遅延回路４５ｄは、Ｌレベルの第４設定信号ＳＴ４を入力するとき、入力した第２論理信号ＳＲ２を直ちに第６バッファ回路５６に出力する。
【００６６】
第６バッファ回路５６は、第４遅延回路４５ｄから第２論理信号ＳＲ２を入力する。第６バッファ回路５６は、入力した第２論理信号ＳＲ２を同相で駆動能力を上げて第２駆動信号ＤＬとして第４スイッチ５７ｄを介して第２トランジスタＴ２のゲートに出力する。
【００６７】
このとき、第４スイッチ５７ｄは、入力した第４設定信号ＳＴ４に応じて開放・短絡する。第４スイッチ５７ｄは、Ｈレベルの第４設定信号ＳＴ４を入力すると、予め設定された時間ｔｋ４（＞ｔｋ３）経過後に短絡する。また、第４スイッチ５７ｄは、Ｌレベルの第４設定信号ＳＴ４を入力すると、直ちに短絡する。
【００６８】
つまり、第６バッファ回路５６は、第４及び第５ＤＣ−ＤＣコンバータ２０ｄ，２０ｅが動作する場合、第４バッファ回路５４が第２トランジスタＴ２を駆動開始してから予め設定された時間ｔｋ４（ｔｋ３）経過後に第２トランジスタＴ２を駆動開始する。反対に、第６バッファ回路５６は、第４及び第５ＤＣ−ＤＣコンバータ２０ｄ，２０ｅが停止する場合、第４バッファ回路５４が第２トランジスタＴ２を駆動開始すると、略同時に第２トランジスタＴ２を駆動する。
【００６９】
従って、立ち下がり制御部４４は、第４及び第５ＤＣ−ＤＣコンバータ２０ｄ，２０ｅが動作する場合、スイッチング回路３８を駆動する駆動能力を、始めに第４〜第６バッファ回路５４〜５６が１つ分の駆動能力にする。そして、予め設定された時間ｔｋ３経過後に第４〜第６バッファ回路５４〜５６が２つ分の駆動能力にし、予め設定された時間ｔｋ４経過後に、第４〜第６バッファ回路５４〜５６が３つ分の駆動能力にする。つまり、立ち下がり制御部４４は、小さい駆動能力から大きい駆動能力に３段階で切替えて第２トランジスタＴ２を駆動している。
【００７０】
このため、図４に示すように、上記の第１トランジスタＴ１を駆動する駆動能力を３段階で大きくする場合の第１駆動信号ＤＨ（波形Ｖ１）は、第１トランジスタＴ１を第１〜第３バッファ回路５１〜５３が１つ分の駆動能力で駆動する場合の第１駆動信号ＤＨ（波形Ｖ２）に比べて、早く立ち下げることができる。これにより、上記の第１トランジスタＴ１を駆動する駆動能力を３段階で大きくする場合は、第１トランジスタＴ１を第１〜第３バッファ回路５１〜５３が１つ分の駆動能力で駆動する場合に比べて、第１トランジスタＴ１のオン抵抗の小さい時間が長くなり、変換効率を上げることができる。つまり、ワンセグ受信機や無線通信機の受信する信号の周波数帯域のノイズレベルは低下させつつ、変換効率の低下を抑えている。
【００７１】
反対に、ドライバ部３７は、第４及び第５ＤＣ−ＤＣコンバータ２０ｄ，２０ｅが停止する場合、輻射ノイズよりも効率を重視し、始めからバッファ回路３つ分の駆動能力で第１トランジスタＴ１を駆動し、スイッチングの立ち上げ時間及び立ち下げ時間を短くして変換効率を上げている。
【００７２】
スイッチング回路３８は、ドライバ部３７から第１駆動信号ＤＨと第２駆動信号ＤＬをそれぞれ第１トランジスタＴ１と第２トランジスタＴ２に入力する。
第１トランジスタＴ１は、ＰチャネルＭＯＳトランジスタであり、ゲートに第１駆動信号ＤＨが入力され、ソースに入力電圧ＰＶＣＣが供給されている。第１トランジスタＴ１のドレインは、第２トランジスタＴ２のドレインに接続されている。
【００７３】
第２トランジスタＴ２は、ＮチャネルＭＯＳトランジスタであり、ゲートに第２駆動信号ＤＬが入力されている。第２トランジスタＴ２のソースは、グランドＰＧＮＤに接続されている。また、第２トランジスタＴ２のドレインと第１トランジスタＴ１のドレインの接続点（ノードＬｘ）は、平滑回路３１のチョークコイルＬ１を介して内部回路１３に接続されている。
【００７４】
スイッチング回路３８は、ドライバ部３７がＬレベルの第１及び第２駆動信号ＤＨ，ＤＬを出力すると、第１トランジスタＴ１がオン、第２トランジスタＴ２がオフして、入力電圧ＰＶＣＣをチョークコイルＬ１を介して内部回路１３に供給するようになっている。
【００７５】
また、反対に、スイッチング回路３８は、ドライバ部３７がＨレベルの第１及び第２駆動信号ＤＨ，ＤＬを出力すると、第１トランジスタＴ１がオフ、第２トランジスタＴ２がオンして、内部回路１３への入力電圧ＰＶＣＣの供給を遮断させるようになっている。
【００７６】
即ち、実際に内部回路１３に供給している実電源電圧が、予め設定された内部回路１３に供給する電源電圧以下のとき、ドライバ部３７は、Ｌレベルの第１及び第２駆動信号ＤＨ，ＤＬを出力し、第１トランジスタＴ１をオン、第２トランジスタＴ２をオフさせて、入力電圧ＰＶＣＣをチョークコイルＬ１を介して内部回路１３に供給するようになっている。
【００７７】
反対に、実際に内部回路１３に出力している実電源電圧が、予め設定された内部回路１３に供給する電源電圧より大きいとき、ドライバ部３７は、Ｈレベルの第１及び第２駆動信号ＤＨ，ＤＬを出力し、第１トランジスタＴ１をオフ、第２トランジスタをオンさせ、内部回路１３への入力電圧ＰＶＣＣの供給を遮断させるようになっている。
【００７８】
つまり、電流比較器３５は、実際に内部回路１３に出力している実電源電圧が予め設定された内部回路１３に供給する電源電圧に近づくようデューティー比を制御する第１判定信号Ｊ１を出力する。ＰＷＭパルス生成部３６は、第１判定信号Ｊ１に相対したパルス信号（第２判定信号Ｊ２）を生成する。そして、ドライバ部３７は、第２判定信号Ｊ２に応答して、実際に内部回路１３に出力している実電源電圧が予め設定された内部回路１３に供給する電源電圧に近づけるべくスイッチングトランジスタＴ１，Ｔ２を駆動する。
【００７９】
以上記述したように、本実施の形態によれば、以下の効果を奏する。
第１ＤＣ−ＤＣコンバータ２０ａは、ワンセグ受信機１６、無線通信機１７に第４及び第５電源電圧ＶｏＤ，ＶｏＥを供給する第４及び第５ＤＣ−ＤＣコンバータ２０ｄ，２０ｅが動作する場合、第１ＤＣ−ＤＣコンバータ２０ａのスイッチングの立ち上げ時間及び立ち下げ時間を長くしている。また、第１ＤＣ−ＤＣコンバータ２０ａは、スイッチング回路３８を駆動する駆動能力を３段階で大きくしている。
【００８０】
このため、ワンセグ受信機１６や無線通信機１７が受信する信号の周波数帯域の輻射ノイズレベルが低下し、ワンセグ受信機１６や無線通信機１７は、精度良く受信することができる。さらに、第１及び第２トランジスタＴ１，Ｔ２のオン抵抗の小さくなる時間が長くなり、このオン抵抗が小さくなった時間だけ変換効率の低下を防ぐことができる。
【００８１】
（第２実施形態）
以下、本発明を具体化した第２実施形態を図５に従って説明する。上記第１実施形態では、第４及び第５ＤＣ−ＤＣコンバータ２０ｄ，２０ｅが動作した場合、入力電圧ＰＶＣＣに関係なく、第１及び第２トランジスタＴ１，Ｔ２を駆動する駆動能力を３段階で大きくしていた。
【００８２】
第２実施形態では、入力電圧ＰＶＣＣが大きいほどスイッチングの立ち上げ時間及び立ち下げ時間が短くなるため、入力電圧ＰＶＣＣが予め設定した入力電圧（基準入力電圧ＰＶＣＣｋ）より大きい場合にはスイッチング回路３８を駆動する駆動能力を小さくする点が上記第１実施形態と異なっている。そのため、その相違点のみを説明の便宜上説明する。
【００８３】
図５に、本実施形態の第１ＤＣ−ＤＣコンバータ２０ａの電気ブロック回路図を示す。図５に示すように、制御回路３０ａは、入力電圧検出部６１を備えている。入力電圧検出部６１は、入力電圧ＰＶＣＣを監視し、予め設定された入力電圧（基準入力電圧ＰＶＣＣｋ）に基づいて第１及び第２トランジスタＴ１，Ｔ２を駆動する駆動能力を切替えるための入力判定信号ＳＮ１を状態判定回路２２ａに出力する。
【００８４】
入力電圧検出部６１は、分圧回路６２と入力電圧検出回路６３を備えている。
分圧回路６２は、抵抗Ｒ３，Ｒ４の直列回路よりなり、その直列回路にその時入力している入力電圧ＰＶＣＣが印加される。そして、分圧回路６２は、抵抗Ｒ３，Ｒ４の接続点の電圧を第２分圧電圧Ｖｅ２として入力電圧検出回路６３の反転入力端子に出力する。
【００８５】
入力電圧検出回路６３は、反転入力端子に分圧回路６２からの第２分圧電圧Ｖｅ２が入力されるとともに、非反転入力端子に予め設定された入力検出電圧Ｖｒ３が入力される。そして、入力電圧検出回路６３は、第２分圧電圧Ｖｅ２が入力検出電圧Ｖｒ３以上になったとき、Ｌレベルの入力判定信号ＳＮ１を、反対に、第２分圧電圧Ｖｅ２が入力検出電圧Ｖｒ３より小さくなったとき、Ｈレベルの入力判定信号ＳＮ１を状態判定回路２２ａに出力する。
【００８６】
即ち、入力電圧検出部６１は、入力電圧ＰＶＣＣが予め設定された基準入力電圧ＰＶＣＣｋ以上のとき、入力電圧検出回路６３から状態判定回路２２ａにＬレベルの入力判定信号ＳＮ１を出力する。反対に、入力電圧検出部６１は、入力電圧ＰＶＣＣが予め設定された基準入力電圧ＰＶＣＣｋ未満のとき、入力電圧検出回路６３から状態判定回路２２ａにＨレベルの入力判定信号ＳＮ１を出力する。
【００８７】
状態判定回路２２ａは、入力電圧検出部６１（入力電圧検出回路６３）から入力判定信号ＳＮ１を入力するとともに、コントロール部２１から第１〜第５制御信号ＳＳ１〜ＳＳ５を入力する。状態判定回路２２ａは、入力判定信号ＳＮ１と第１〜第５制御信号ＳＳ１〜ＳＳ５とに基づいて状態判定信号Ｂ１をドライバ部３７ａに出力する。
【００８８】
詳述すると、状態判定回路２２ａは、第４及び第５制御信号ＳＳ４，ＳＳ５がＨレベル、入力判定信号ＳＮ１がＨレベルの場合、第１及び第２トランジスタＴ１，Ｔ２を駆動する駆動能力を３段階で大きくするための状態判定信号Ｂ１（以下、第１エコモード信号Ｂ１ａ）を出力する。
【００８９】
つまり、第４及び第５ＤＣ−ＤＣコンバータ２０ｄ，２０ｅが動作し、入力電圧ＰＶＣＣが予め設定された基準入力電圧ＰＶＣＣｋ未満の場合、駆動能力を３段階で大きくして第１ＤＣ−ＤＣコンバータ２０ａのスイッチングの立ち上げ時間及び立ち下げ時間を遅くする。ここで、立ち上がり制御部４３及び立ち下がり制御部４４中の第１〜第４遅延回路４５ａ〜４５ｄの遅延時間を遅延時間ｔｋ１〜ｔｋ４に設定している。
【００９０】
また、状態判定回路２２ａは、第４及び第５制御信号ＳＳ４，ＳＳ５がＨレベル、入力判定信号ＳＮ１がＬレベルの場合、立ち上がり制御部４３及び立ち下がり制御部４４中の第１〜第４遅延回路４５ａ〜４５ｄの遅延時間ｔｋ５〜ｔｋ８をそれぞれ遅延時間ｔｋ１〜ｔｋ４より長くする。そして、状態判定回路２２ａは、第１及び第２トランジスタＴ１，Ｔ２を駆動する駆動能力を３段階で大きくするための状態判定信号Ｂ１（以下、第２エコモード信号Ｂ１ｂという）を出力する。つまり、第４及び第５ＤＣ−ＤＣコンバータ２０ｄ，２０ｅが動作し、入力電圧ＰＶＣＣが予め設定された基準入力電圧ＰＶＣＣｋより高い場合、第１ＤＣ−ＤＣコンバータ２０ａのスイッチングの立ち上げ時間及び立ち下げ時間を、上記の入力電圧ＰＶＣＣが予め設定された基準入力電圧ＰＶＣＣｋより低い場合と比較して遅くする。
【００９１】
さらに、状態判定回路２２ａは、第４及び第５制御信号ＳＳ４，ＳＳ５がＬレベル、入力判定信号ＳＮ１がＨ及びＬレベルの場合、第１実施形態の第４及び第５制御信号ＳＳ４，ＳＳ５がＬレベルの場合と同様に、第１及び第２トランジスタＴ１，Ｔ２を駆動する駆動能力を最初からバッファ回路３つ分にするための状態判定信号Ｂ１（以下、アクティブモード信号Ｂ１ｃという）を出力する。つまり、第４及び第５ＤＣ−ＤＣコンバータ２０ｄ，２０ｅが停止する場合、駆動能力を３段階で大きくしないで一挙にあげて第１ＤＣ−ＤＣコンバータ２０ａのスイッチングの立ち上げ時間及び立ち下げ時間を短くする。
【００９２】
ドライバ部３７ａは、状態判定回路２２ａから状態判定信号Ｂ１（Ｂ１ａ〜Ｂ１ｃ）を入力し、状態判定信号Ｂ１（Ｂ１ａ〜Ｂ１ｃ）に応じて第１及び第２トランジスタＴ１，Ｔ２を駆動する。
【００９３】
詳述すると、第２エコモード信号Ｂ１ｂを入力したとき、ドライバ部３７ａは、立ち上がり制御部４３及び立ち下がり制御部４４中の第１〜第４遅延設定回路４６ａ〜４６ｄが、第１〜第４遅延回路４５ａ〜４５ｄの遅延時間ｔｋ５〜ｔｋ８を入力電圧ＰＶＣＣが予め設定された基準入力電圧ＰＶＣＣｋより低い場合の遅延時間ｔｋ１〜ｔｋ４よりそれぞれ長い時間に設定する。
【００９４】
そして、第１実施形態の第４及び第５ＤＣ−ＤＣコンバータ２０ｄ，２０ｅが動作する場合と同様に、ドライバ部３７ａは、駆動能力を３段階で大きくしてスイッチング回路３８を駆動する。
【００９５】
また、第１エコモード信号Ｂ１ａを入力するとき、ドライバ部３７ａは、駆動能力を３段階で大きくしてスイッチング回路３８を駆動する。さらに、アクティブモード信号Ｂ１ｃを入力するとき、ドライバ部３７ａは、駆動能力を最初からバッファ回路３つ分にして駆動する。
【００９６】
以上記述したように、本実施の形態によれば、以下の効果を奏する。
入力電圧ＰＶＣＣが予め定めた基準入力電圧ＰＶＣＣｋ以上大きくなった場合でも、スイッチング回路３８の駆動能力を第１実施形態と比較してさらに小さくし、第１ＤＣ−ＤＣコンバータ２０ａのスイッチングの立ち上げ時間及び立ち下げ時間を長くしたため、ワンセグ受信機１６や無線通信機１７が受信する周波数帯域の輻射ノイズレベルを低下することができる。このため、ワンセグ受信機１６や無線通信機１７は、入力電圧ＰＶＣＣが予め定めた基準入力電圧ＰＶＣＣｋ以上大きくなった場合でも、精度良く受信することができる。
【００９７】
（第３実施形態）
以下、本発明を具体化した第３実施形態を図６及び図７に従って説明する。上記第１実施形態では、出力電流ＩｏＡに関係なく、第１ＤＣ−ＤＣコンバータ２０ａのスイッチングの立ち上げ時間及び立ち下げ時間を制御していた。
【００９８】
第３実施形態では、出力電流ＩｏＡが予め設定された基準電流値Ｉｋ以上の場合（電流連続モード）、第１ＤＣ−ＤＣコンバータ２０ａのスイッチングの立ち上げ時間を長くする。また、出力電流ＩｏＡが予め設定された基準電流値Ｉｋ未満の場合（電流不連続モード）、第１ＤＣ−ＤＣコンバータ２０ａのスイッチングの立ち下げ時間を長くする点が上記第１実施形態と異なっている。そのため、その相違点のみを説明の便宜上説明する。
【００９９】
ここで、電流連続モードとは、第１ＤＣ−ＤＣコンバータ２０ａのスイッチングにおいて、第１及び第２トランジスタＴ１，Ｔ２が共にオフのときに出力電流ＩｏＡがゼロにならない、つまり出力電流ＩｏＡが連続的に流れるモードをいう。また、電流不連続モードとは、第１ＤＣ−ＤＣコンバータ２０ａのスイッチングにおいて、第１及び第２トランジスタＴ１，Ｔ２が共にオフのときに出力電流ＩｏＡがゼロになる、つまり出力電流ＩｏＡが不連続になるモードをいう。
【０１００】
本実施形態の第１ＤＣ−ＤＣコンバータ２０ａの電気ブロック回路図を図６に示す。
図６に示すように、制御回路３０ｂは、出力電流判定回路７１を備えている。出力電流判定回路７１は、反転入力端子に電流検出部３２からの負荷検出電圧Ｖｒ２が入力されるとともに、非反転入力端子に予め設定された出力電流判定電圧Ｖｒ４が入力される。出力電流判定回路７１は、負荷検出電圧Ｖｒ２が出力電流判定電圧Ｖｒ４以上になったとき、Ｌレベルの電流判定信号ＳＤ１を、反対に、負荷検出電圧Ｖｒ２が出力電流判定電圧Ｖｒ４より小さくなったとき、Ｈレベルの電流判定信号ＳＤ１を状態判定回路２２ｂに出力する。
【０１０１】
即ち、出力電流判定回路７１は、出力電流ＩｏＡが予め設定された基準電流値Ｉｋ以上のとき、状態判定回路２２ｂにＬレベルの電流判定信号ＳＤ１を出力する。反対に、出力電流判定回路７１は、出力電流ＩｏＡが予め設定された基準電流値Ｉｋ未満のとき、状態判定回路２２ｂにＨレベルの電流判定信号ＳＤ１を出力する。
【０１０２】
状態判定回路２２ｂは、出力電流判定回路７１から電流判定信号ＳＤ１とコントロール部２１から第１〜第５制御信号ＳＳ１〜ＳＳ５を入力する。状態判定回路２２ｂは、入力する電流判定信号ＳＤ１と第１〜第５制御信号ＳＳ１〜ＳＳ５に基づいて第１及び第２判定信号Ｃ１，Ｃ２をドライバ部３７ｂの立ち上がり制御部４３及び立ち下がり制御部４４に出力する。
【０１０３】
詳述すると、状態判定回路２２ｂは、第４及び第５制御信号ＳＳ４，ＳＳ５がＨレベル、電流判定信号ＳＤ１がＨレベルのとき、第２トランジスタＴ２を駆動する駆動能力を最初からバッファ回路３つ分にするためのＬレベルの第１判定信号Ｃ１（以下、第１エコモード信号Ｃ１ｂという）を出力する。さらに、このとき状態判定回路２２ｂは、第２トランジスタＴ２を駆動する駆動能力を３段階で大きくするためのＨレベルの第２判定信号Ｃ２（以下、第２アクティブモード信号Ｃ２ａという）を出力する。つまり、第４及び第５ＤＣ−ＤＣコンバータ２０ｄ，２０ｅが動作する場合であって、出力電流ＩｏＡが予め設定された電流値（基準電流値Ｉｋ）未満に小さくなると（電流不連続モード）、ドライバ部３７ｂは第１ＤＣ−ＤＣコンバータ２０ａのスイッチングの立ち下げ時間のみを長くする。
【０１０４】
また、状態判定回路２２ｂは、第４及び第５制御信号ＳＳ４，ＳＳ５がＨレベル、電流判定信号ＳＤ１がＬレベルのとき、第１トランジスタＴ１を駆動する駆動能力を３段階で大きくするためのＨレベルの第１判定信号Ｃ１（以下、第１アクティブモード信号Ｃ１ａという）を出力する。さらに、このとき、状態判定回路２２ｂは、第２トランジスタＴ２を駆動する駆動能力を最初からバッファ回路３つ分にするため駆動するためのＬレベルの第２判定信号Ｃ２（以下、第２エコモード信号Ｃ２ｂという）を出力する。
【０１０５】
つまり、第４及び第５ＤＣ−ＤＣコンバータ２０ｄ，２０ｅが動作する場合であって、出力電流ＩｏＡが予め設定された電流値（基準電流値Ｉｋ）以上になると（電流連続モード）、ドライバ部３７ｂは、第１ＤＣ−ＤＣコンバータ２０ａのスイッチングの立ち上げ時間のみを長くする。
【０１０６】
さらに、状態判定回路２２ｂは、第４及び第５制御信号ＳＳ４，ＳＳ５がＬレベル、電流判定信号ＳＤ１がＨ及びＬレベルの場合、第１実施形態の第４及び第５制御信号ＳＳ４，ＳＳ５がＬレベルの場合と同様に、第１及び第２トランジスタＴ１，Ｔ２を駆動する駆動能力を最初からバッファ回路３つ分にするためのＬレベルの第１及び第２判定信号Ｃ１，Ｃ２を出力する。
【０１０７】
つまり、第４及び第５ＤＣ−ＤＣコンバータ２０ｄ，２０ｅが停止する場合、ドライバ部３７ｂは、第１ＤＣ−ＤＣコンバータ２０ａのスイッチングの立ち上げ時間及び立ち下げ時間を短くする。
【０１０８】
ドライバ部３７ｂは、状態判定回路２２ｂから第１及び第２判定信号Ｃ１（Ｃ１ａ又はＣ１ｂ），Ｃ２（Ｃ２ａ又はＣ２ｂ）を入力し、第１及び第２判定信号Ｃ１（Ｃ１ａ又はＣ１ｂ），Ｃ２（Ｃ２ａ又はＣ２ｂ）に応じて第１、第２トランジスタＴ１，Ｔ２を駆動する。
【０１０９】
詳述すると、ドライバ部３７ｂが、Ｈレベルの第１判定信号Ｃ１（第１アクティブモード信号Ｃ１ａ）及びＬレベルの第２判定信号Ｃ２（第２エコモード信号Ｃ２ｂ）を入力する場合には、立ち上がり制御部４３の第１及び第２遅延設定回路４６ａ，４６ｂは、第１及び第２遅延回路４５ａ，４５ｂが第１論理信号ＳＲ１を直ちに出力するように設定する。また、立ち下がり制御部４４の第３及び第４遅延設定回路４６ｃ，４６ｄは、第３及び第４遅延回路４５ｃ，４５ｄに対して第２論理信号ＳＲ２をそれぞれ遅延時間ｔｋ３，ｔｋ４（ｔｋ３＜ｔｋ４）経過後に出力されるように設定する。
【０１１０】
つまり、第４及び第５ＤＣ−ＤＣコンバータ２０ｄ，２０ｅが動作する場合、出力電流ＩｏＡが予め設定された基準電流値Ｉｋより小さくなると（電流不連続モード）、ドライバ部３７ｂは、第１トランジスタＴ１を最初からバッファ回路３つ分の駆動能力にて駆動し、第２トランジスタＴ２を３段階で駆動能力を大きくして駆動する。
【０１１１】
反対に、ドライバ部３７ｂが、Ｌレベルの第１判定信号Ｃ１（第１エコモード信号Ｃ１ｂ）、Ｈレベルの第２判定信号Ｃ２（第２アクティブモード信号Ｃ２ａ）を入力する場合、立ち上がり制御部４３の第１及び第２遅延設定回路４６ａ，４６ｂは、第１及び第２遅延回路４５ａ，４５ｂに対して第１論理信号ＳＲ１がそれぞれ遅延時間ｔｋ１，ｔｋ２（ｔｋ１＜ｔｋ２）経過後に出力されるように設定する。また、立ち下がり制御部４４の第３及び第４遅延設定回路４６ｃ，４６ｄは、第３及び第４遅延回路４５ｃ，４５ｄに対して第２論理信号ＳＲ２を直ちに出力するように設定する。
【０１１２】
つまり、第４及び第５ＤＣ−ＤＣコンバータ２０ｄ，２０ｅが動作する場合、出力電流ＩｏＡが予め設定された基準電流値Ｉｋより大きくなると（電流連続モード）、ドライバ部３７ｂは、第１トランジスタＴ１を３段階で駆動能力を大きくして駆動し、第２トランジスタＴ２を最初からバッファ回路３つ分の駆動能力にて駆動する。
【０１１３】
一方、第４及び第５制御信号ＳＳ４，ＳＳ５がＬレベルの場合、つまり第４及び第５ＤＣ−ＤＣコンバータ２０ｄ，２０ｅが停止する場合、ドライバ部３７ａは、第１及び第２トランジスタＴ１，Ｔ２を最初からバッファ回路３つ分の駆動能力にて駆動する。
【０１１４】
図７（ａ）は、出力電流ＩｏＡが大きい（電流連続モード）場合のノードＬｘにおける電圧値ＶＬｘの電圧波形図、図７（ｂ）は、出力電流ＩｏＡが小さい（電流不連続モード）場合のノードＬｘにおける電圧値ＶＬｘの電圧波形図である。
【０１１５】
今、時間ｔ０において、図６に示す第１トランジスタＴ１がオフ、第２トランジスタＴ２がオンすると、ノードＬｘが接地するため、図７（ａ）、（ｂ）に示すように、ノードＬｘの電圧値ＶＬｘはグランドＰＧＮＤになっている。
【０１１６】
そして、出力電流ＩｏＡが大きい（電流連続モード）場合、時間ｔ１において、第２トランジスタＴ２がオンからオフになると、第２トランジスタＴ２のボディダイオードを介してコイルＬ１と負荷との間に電流が流れるため、ノードＬｘの電圧値ＶＬｘは、グランドＰＧＮＤからボディダイオードの閾値電圧ＶＦ分減算された電圧値Ｖ３（＝ＰＶＣＣ−ＶＦ、マイナス電圧）まで下がる。
【０１１７】
続いて、時間ｔ２において、第１トランジスタＴ１がオフからオンになると、ノードＬｘの電圧値ＶＬｘは、ノードＬｘに入力電圧ＰＶＣＣを供給されるため、直ちに入力電圧ＰＶＣＣまで上がる。
【０１１８】
次に、時間ｔ３において、第１トランジスタＴ１がオンからオフすると、ノードＬｘの電圧値ＶＬｘは、出力電流ＩｏＡが大きい、つまり、負荷が重いため、直ちにグランドＰＧＮＤからボディダイオードの閾値電圧ＶＦ分減算された電圧値Ｖ３（＝ＰＧＮＤ−ＶＦ、マイナス電圧）まで下がる。
【０１１９】
一方、出力電流ＩｏＡが小さい（電流不連続モード）場合、時間ｔ１において、第２トランジスタＴ２がオンからオフになると、第１トランジスタＴ１のボディダイオードを介してコイルＬ１と負荷との間に電流が流れるため、ノードＬｘの電圧値ＶＬｘは、直ちに入力電圧ＰＶＣＣからボディダイオードの閾値電圧ＶＦ分加算された電圧値Ｖ４（＝ＰＶＣＣ＋ＶＦ）まで立ち下がる。
【０１２０】
そして、時間ｔ２において、第１トランジスタＴ１がオフからオンになると、ノードＬｘの電圧値ＶＬｘは、ノードＬｘに入力電圧ＰＶＣＣを供給されるため、入力電圧ＰＶＣＣまで下がる。
【０１２１】
続いて、時間ｔ３において、第１トランジスタＴ１がオンからオフになると、ノードＬｘの電圧値ＶＬｘは、出力電流ＩｏＡが小さい、つまり、負荷が軽いため、出力電流ＩｏＡが大きい（電流連続モード）場合に比べてゆっくりとグランドＰＧＮＤまで下がる。
【０１２２】
即ち、出力電流ＩｏＡが大きい（電流連続モード）場合、時間ｔ３において第１トランジスタＴ１がオンからオフになると、直ちにノードＬｘの電圧値ＶＬｘはグランドＰＧＮＤからボディダイオードの閾値電圧ＶＦ分減算された電圧値Ｖ３（＝ＰＧＮＤ−ＶＦ、マイナス電圧）になる。つまり、ノードＬｘの電圧値ＶＬｘは、スイッチングの立ち下げ時間の制御に関係なく直ちに電圧値Ｖ３（＝ＰＧＮＤ−ＶＦ、マイナス電圧）まで立ち下がる。
【０１２３】
反対に、出力電流ＩｏＡが小さい（電流不連続モード）場合、時間ｔ１において第２トランジスタＴ２がオンからオフなると、直ちにノードＬｘの電圧値ＶＬｘは入力電圧ＰＶＣＣからボディダイオードの閾値電圧ＶＦ分加算された電圧値Ｖ４（＝ＰＶＣＣ＋ＶＦ）まで上がる。つまり、ノードＬｘの電圧値ＶＬｘは、スイッチングの立ち上げ時間の制御に関係なく直ちに電圧値Ｖ４（ＰＶＣＣ＋ＶＦ）まで立ち上がる。
【０１２４】
従って、出力電流ＩｏＡが大きい（電流連続モード）場合、スイッチングの立ち上げ時間のみを制御し、出力電流ＩｏＡが小さい（電流不連続モード）場合、スイッチングの立ち下げ時間のみを制御しても、ワンセグ受信機１６及び無線通信機１７が受信する信号の周波数帯域のノイズレベルを第１実施形態と同等に低下させることができる。
【０１２５】
つまり、出力電流ＩｏＡが大きい（電流連続モード）場合のスイッチングの立ち下がりは、直ちに立ち下がり、出力電流ＩｏＡが小さい（電流不連続モード）場合のスイッチングの立ち上がりは、直ちに立ち上がる。
【０１２６】
つまり、出力電流ＩｏＡが大きい（電流連続モード）場合、立ち下げ時間を制御することができないため、第４及び第５ＤＣ−ＤＣコンバータ２０ｄ，２０ｅが動作するとき、立ち下げ時間を長くするための制御を行っていない。一方、出力電流ＩｏＡが小さい（電流不連続モード）場合、立ち上げ時間を制御することができないため、第４及び第５ＤＣ−ＤＣコンバータ２０ｄ，２０ｅが動作するとき、立ち上げ時間を長くするための制御を行っていない。
【０１２７】
以上記述したように、本実施の形態によれば、以下の効果を奏する。
第１ＤＣ−ＤＣコンバータ２０ａは、第４及び第５ＤＣ−ＤＣコンバータ２０ｄ，２０ｅが動作する場合、出力電流ＩｏＡが大きい（電流連続モード）と、第１ＤＣ−ＤＣコンバータ２０ａのスイッチングの立ち上げ時間を長くする。反対に、第１ＤＣ−ＤＣコンバータ２０ａは、第４及び第５ＤＣ−ＤＣコンバータ２０ｄ〜ｅが動作する場合、出力電流ＩｏＡが小さい（電流不連続モード）と、第１ＤＣ−ＤＣコンバータ２０ａのスイッチングの立ち下げ時間を長くする。
【０１２８】
このため、第１ＤＣ−ＤＣコンバータ２０ａのスイッチングの立ち上げ時間と立ち下げ時間の制御が可能な箇所だけ、第１実施形態と同様に立ち上げ時間と立ち下げ時間を短くすることができる。さらに、第１ＤＣ−ＤＣコンバータ２０ａのスイッチングの立ち上げ時間と立ち下げ時間の制御が不可能な箇所は、スイッチングの立ち上げ時間と立ち下げ時間を短くしているため、第１ＤＣ−ＤＣコンバータ２０ａの変換効率を第１実施形態に比べて向上することができる。
【０１２９】
尚、上記実施の形態は、以下の態様で実施してもよい。
・上記実施形態において、スイッチング回路３８を駆動する駆動能力を３段階で大きくしているが、スイッチング回路３８を駆動する駆動能力を４段階以上で大きくしてもよい。
【０１３０】
・上記実施形態において、第１〜第６バッファ回路５１〜５６の駆動能力を同じにしているが、第１〜第６バッファ回路５１〜５６の駆動能力を異なる大きさにしてもよい。
・上記実施形態において、ワンセグ受信機１６、無線通信機１７に第４、第５電源電圧ＶｏＤ，ＶｏＥを供給する第４、第５ＤＣ−ＤＣコンバータ２０ｄ，２０ｅが動作する場合、第１ＤＣ−ＤＣコンバータ２０ａのスイッチングの立ち上げ時間及び立ち下げ時間を長くしていた。これに限らず、内部回路１３、メモリ１４、Ｉ／Ｏ部１５に第１〜第３電源電圧ＶｏＡ〜ＶｏＣを供給するときに、スイッチングの立ち上げ時間及び立ち下げ時間を長くしてもよい。また、ワンセグ受信機１６、無線通信機１７の代わりとして、輻射ノイズの影響を受けやすい電子機器ならいかなるものでもよい。
【図面の簡単な説明】
【０１３１】
【図１】電源供給システムの概略構成図である。
【図２】第一実施形態のＤＣ−ＤＣコンバータの電気ブロック回路図である。
【図３】第一実施形態のドライバ部の電気ブロック回路図である。
【図４】第一実施形態のスイッチング回路の動作を説明するための波形図である。
【図５】第二実施形態のＤＣ−ＤＣコンバータの電気ブロック回路図である。
【図６】第三実施形態のＤＣ−ＤＣコンバータの電気ブロック回路図である。
【図７】（ａ）（ｂ）は第三実施形態のスイッチング回路の動作を説明するための波形図である。
【符号の説明】
【０１３２】
１０  電源供給システム
１３〜１７  負荷回路
１６  ワンセグ受信機
１７  無線通信機
２０  ＤＣ−ＤＣコンバータ
３７  ドライバ部
Ａ１  判定信号
Ｔ１  第１トランジスタ
Ｔ２  第２トランジスタ
【図１】
2010088177.tif 000003
【図２】
2010088177.tif 000004
【図３】
2010088177.tif 000005
【図４】
2010088177.tif 000006
【図５】
2010088177.tif 000007
【図６】
2010088177.tif 000008
【図７】
2010088177.tif 000009